(57)【要約】      （修正有）【課題】製造コスト低減し、なおかつ強度も従来品以上に強い、またベルトの構造を簡単にすることによって、長さ調整や取り外しが簡単にしたゴルフバッグ専用名札取り付けベルトを提供する。【解決手段】プラスティックベルトＪは、金属の尾錠等、他の部品を一切使用しないで、へら状固定成型部Ｍなどとともにプラスティックによって成型してしまう。ネームプレートＡはゴルフバッグＨにプラスティックベルトＪにより取り付けられる。【選択図】図３
2011031005.tif 000002
【特許請求の範囲】
【請求項１】
本発明はゴルフバッグの名札を取り付けるベルトを製造するにおいて、いくつかの異なる材料、部品をすべてプラスティック成型で一体化し成型されている事を特徴とする。
【請求項２】
本発明はゴルフバッグの名札を取り付けるベルトを製造するにおいて、すべてプラスティック成型で一体化し成型することによって製造工程が極端に少なくなる。したがってコストを安価に出来る事を特徴とする。
【請求項３】
本発明はゴルフバッグの名札を取り付けるベルトを製造するにおいて、すべてプラスティック成型で一体化し成型することによってベルト本体の強度を平均化することが出来、材料強度、材料硬度も帯全体に平均化することが出来、材料強度を自由に設定出来ることを特徴とする。
【請求項４】
本発明はゴルフバッグの名札を取り付けるベルトを製造するにおいて、すべてプラスティック成型で一体化し成型することによって成型する。そのため、縫製や接着剤などの組み合わせでは出来ない形（例えば、犬や猫の立体的な表現など）も自由に成型出来ることを特徴とする。
【請求項５】
本発明はゴルフバッグの名札を取り付けるベルトの取り外しが容易なことを特徴とする。
【発明の詳細な説明】
【技術分野】
【０００１】  本発明はプラスティック成型で部品を一体化したゴルフバッグの名札を取り付けるベルトに関する。
【背景技術】
【０００２】  従来の技術はゴルフバッグにゴルフプレーヤーが名前を書くための名札を取り付ける方法として布や革、または合成皮革素材などを帯状にし、ベルト状に加工して名札に付属させていた。図１従来型ベルトＢには尾錠などの長さ調整や、脱着機構がベルト自体に異なる部品で構成されていた。図１−Ａ、Ｂ、Ｃ、Ｄ、Ｅ、Ｆ、Ｇ（例えば、非特許文献１参照）【０００３】  以下図１、正面図、側面図、展開図によって従来のゴルフ名札ベルトを説明する。図１正面図と側面図においてＡはネームプレートであり、Ｂは取り付けるためのベルトでありベルトＢは穴Ｆが開けられており尾錠Ｅがある。また、コキと呼ばれるＣおよびＤのリング状の調節部品を所有している。【０００４】  ネームプレートＡはベルトＢを通すための穴Ｇを所有しており、ベルトＤはネームプレートＡの穴Ｇを通って図１の側面図のようにベルトを折り曲げられ、輪状にされたまま尾錠Ｅを穴Ｆに通すことによって図４ゴルフバッグＨに固定される。また、尾錠Ｅは穴Ｆの位置関係によってベルト自身の長さを調節することも可能である。【０００５】  図１のコキＣはベルトＢとネームプレートＡの間に余計な遊びができてしまわないように固定する目的で取り付けられている。コキＤもベルトの先端が反り返ってしまわないように固定する目的で装備されている。固定されたベルトＢとネームプレートＡの種類によってはＣ、Ｄ、のコキは省略されているものもある。【０００６】  図４のゴルフバッグＨとベルトＢは、尾錠ＥとベルトＢに数か所開けられた穴Ｆの位置を調節することによって取り外しや長さ調整が可能である。
【先行技術文献】
【特許文献】
【０００７】
【非特許文献１】ブリヂストンスポーツゴルフ用品カタログ２００８年Ｐ１０８
【発明の概要】
【発明が解決しようとする課題】
【０００８】  以上に述べた従来のゴルフバッグ専用名札取り付けベルトではベルトＢの材料を布や革または合成皮革素材などをベルト状に加工している。機能的には長さ調整や脱着機能も必要なのでゴルフバッグから脱着可能なように加工しなければならない。また図１の、金属の尾錠Ｅ、コキＣとＤ、穴Ｆの加工なども成型加工して取り付けなければならない。しかもこのようなベルト状に加工するためにはベルト製造過程において接着剤や、ミシンなどの機械を使い縫製技術によって生産する必要がある。大変手間がかかり、コストもかかるものであった。【０００９】  上記０００７の手間のかかる技術の背景にはベルトを使用者が使用する際、機能上この図１ネームプレートＡを止めるベルトＢにある程度の強度が必要なことが原因している。これは使用者がゴルフバッグを担いだりして運搬する際に、そのバッグの重量の負荷がベルトにかかってしまう事が原因している。つまり、単にネームプレートＡを支える重量だけでは強度不足が伴ってしまう。したがって十分な強度を保つ素材と加工が必要となる。さらに従来技術では縫製や接着剤という加工技術にこだわったためにベルト自体の材料が縫製や接着可能な材料でなければならない。そのように加工面でも限られた材料でなければならないものであった。【００１０】  また、０００７の手間のかかる技術の背景には図１ネームプレートＡを自在にゴルフバッグＨから取り外し機構が必要なためである。具体的には使用者がネームプレートＡに使用者自身の名前を書く場合や、または彫刻専門業に名前を彫刻依頼して機械で使用者の名前を加工したりする際、ゴルフバッグＨからネームプレートＡを取り外さなければならない。そのように必ず取り外すことが必須であるのでこのような部品と加工が必要となっていた。【００１１】  ０００７の手間がかかる作業の背景には、部品点数が多い事も関係している。従来技術でベルトＢを加工するには金属製の尾錠など数点の部品を使用しなければならないため、部品点数が増える。【００１２】  さらに従来技術では製作に手間がかかるにもかかわらず、使用者のネームプレートを取り付け、取り外しの便利性について考慮はされていない。従来の加工方法と設計では、使用者は取り外しが不便であった。
【課題を解決するための手段】
【００１３】  本発明はゴルフバッグ専用名札取り付けプラスティックベルトに関するものであり、（以下プラスティックベルトとよぶ）このような従来のベルトＢの部品構成が有していた問題を解決しようとするものである。従来のベルトＢの縫製や接着によって加工するには部品が数点必要である。本発明はプラスティックで部品をすべて一体で成型することによってコスト低減し、なおかつ強度も従来品以上に強いものにすることである。またベルトの構造をプラスティック成型で一体化し簡単にすることによって、使用者が図１のコキＣ、Ｄのコキや尾錠Ｅから取り外すわずらわしさを効果的に解消し、長さ調整や取り外しが簡単なことを目的とするものである。
【発明の効果】
【００１４】  本発明は図２のプラスティックベルトＪは従来のベルトＢで使う尾錠などの他のの部品をいっさい使用しないでプラスティックによって一体成型してしまうので、加工方法が単純である。この単純化されたプラスティックベルトＪは従来のベルトＢにかかる加工工賃を下げることが出来るのでコスト低減になる。また、プラスティックの金型技術によってベルトが自由自在に成型できるので、材料選定が色々な特性と強度や硬度を持つものに変更可能である。したがって、ベルト自体が従来のものと比べて一体成型で加工することによって強度、硬度をベルト全体に平均的に調節できる。また、成型することによって意匠面でも平面的な形状に限られない。例えば、犬の形をした立体的な形状も可能である。また、単純な機構に成型されたベルトの取り外し機構はベルトの取り外し、取り付けが従来のベルトよりも容易になる。
【発明の実施するための最良の形態】
【００１５】  次に図面を参照しながら本発明の実地例の形態を説明する。図２−１は本発明、ゴルフバッグ専用名札取り付けベルトの一実施形態を示す正面図、側面図、背面図である。図２−２は実際に使用し長さ調整をしたときのプラスティックベルトＪの状態図である。図２−３は正面図の断面図である。図２−４はベルト自体の固定を安定させるプラスティックコキＮであるが、なくても良い。図４はネームプレートを本発明のベルトを使用してゴルフバッグに取り付けた状態図である。
【００１６】  次にネームプレートに本ベルトを通してゴルフバッグバッグに取り付ける方法を説明する。図５−１、Ｍは本発明のベルト部の先端に設けられたへら状固定成型部Ｍであり、ゴルフバッグＨに取り付ける際には本発明プラスティックベルトＪ本体を折り曲げ、図５−３の様にリング状に輪にして取り付けリングＫの内側にへら状固定成型部Ｊを通すようにする。この時に取り付け穴Ｌも取り付けリングＫに図５−２、図５−３の手順で固定される。以上の手順で図５−３の状態に本発明ベルトＪは折り畳まれゴルフバッグに固定される。コキＮは補助部品としてプラスティックベルトＪ本体に通しても良いが無くても良い。
【実地例】
【００１７】  図１、図２はゴルフバッグのネームプレートに従来のベルトＢでネームプレートＡを取り付けた状態図であり、図３は本発明プラスティックベルトＪによってゴルフバッグＨにネームプレートＡを取り付けた状態である。
【図面の簡単な説明】
【００１８】
【図１】従来のベルトＢでネームプレートＡを取り付けた状態図である。
【図２−１】本発明プラスティックベルトＪの正面図、側面図、背面図である。
【図２−２】本発明プラスティックベルトＪの取り付け状態図の正面図、側面図、背面図である。
【図２−３】本発明プラスティックベルトＪの取り付け状態図の正面図の断面図である。
【図２−４】本発明プラスティックベルトＪの補助用のコキＮの上面図、正面図、側面図である。
【図３】本発明プラスティックベルトＪのゴルフバッグＨに取り付けた状態図である。
【図４】従来ベルトＢでゴルフバッグＨとネームプレートＡを取り付けた状態図である。
【図５−１】本発明プラスティックベルトＪの取り付け手順、外した状態である。
【図５−２】本発明プラスティックベルトＪの取り付け手順、ネームプレートＡとＤ管Ｉを入れた状態図である。
【図５−３】本発明プラステイックベルトＪの取り付け手順、取り付け完成図である。
【符号の説明】
【００１９】Ａ……ネームプレート
Ｂ……従来型ベルト
Ｃ……コキＣ
Ｄ……コキＤ
Ｅ……尾錠
Ｆ……穴
Ｇ……ベルト通し穴
Ｈ……ゴルフバッグ
Ｉ……Ｄ管
Ｊ……プラスティックベルト
Ｋ……取り付けリング
Ｌ……取り付け穴
Ｍ……へら状固定成型部
Ｎ……プラスティックコキ
【図１】
2011031005.tif 000003
【図２−１】
2011031005.tif 000004
【図２−２】
2011031005.tif 000005
【図２−３】
2011031005.tif 000006
【図２−４】
2011031005.tif 000007
【図３】
2011031005.tif 000008
【図４】
2011031005.tif 000009
【図５−１】
2011031005.tif 000010
【図５−２】
2011031005.tif 000011
【図５−３】
2011031005.tif 000012